【手続補正書】
【提出日】平成29年6月12日(2017.6.12)
【手続補正１】
【補正対象書類名】明細書
【補正対象項目名】０１５４
【補正方法】変更
【補正の内容】
【０１５４】
本開示は、その精神及び範囲から逸脱することなく様々な修正及び変更が加えられてもよい。したがって、本開示は、上記の実施形態に限定されないが、以下の請求項及びすべてのその等価物に詳述する制限によって規制される。本開示は、本明細書に具体的に開示されていないいずれか要素を欠いても適宜実施され得る。本発明の実施態様の一部を以下の項目［１］−［１５］に記載する。
［項目１］
締結テープにおいて、
締結部を備えたテープ裏材と、
前記締結部に配置された接着剤と、
前記接着剤用の剥離面とを備え、前記剥離面が、前記テープ裏材のその縁部のうちの１つに沿って取り付けられた剥離テープ又は前記テープ裏材の表面の少なくとも一部に配置された剥離コーティングであり、
前記テープ裏材又は前記剥離面の少なくとも一方が、不透明な微多孔性領域及び前記不透明な微多孔性領域内の低い多孔率の少なくとも１つのシースルー領域を有する微多孔性フィルムを含む、締結テープ。
［項目２］
前記テープ裏材が、不透明な微多孔性領域及び不透明な微多孔性領域内の低い多孔率の少なくとも１つのシースルー領域を有する微多孔性フィルムを含む、項目１に記載の締結テープ。
［項目３］
前記剥離面が、前記不透明な微多孔性領域及び前記不透明な微多孔性領域内の低い多孔率の少なくとも１つのシースルー領域を有する微多孔性フィルムを含む剥離テープである、項目１に記載の締結テープ。
［項目４］
さらに、前記締結部上の前記接着剤に取り付けられた機械的ファスナーを備える、項目１から３のうちのいずれか１項に記載の締結テープ。
［項目５］
機械的ファスナーにおいて、
所定厚さの不透明な微多孔性領域及び前記不透明な微多孔性領域内の低い多孔率の少なくとも１つのシースルー領域を有する微多孔性フィルムであり、前記低い多孔率の少なくとも１つのシースルー領域が前記微多孔性フィルムの厚さを通って延在している微多孔性フィルムと、
前記機械的ファスナーの少なくとも１つの表面上にある機械的締結要素とを備える、機械的ファスナー。
［項目６］
前記機械的締結要素が前記微多孔性フィルムに付着された底部を有する直立柱を備える雄型締結要素である、項目５に記載の機械的ファスナー。
［項目７］
前記機械的締結要素が前記微多孔性フィルム上に配置された繊維ループである、項目５に記載の機械的ファスナー。
［項目８］
前記微多孔性フィルムが前記機械的締結要素を有するストリップが装着された基材である、項目５から７のいずれか１項に記載の機械的ファスナー。
［項目９］
前記低い多孔率の少なくとも１つのシースルー領域が前記不透明な微多孔性領域内のシースルーの非多孔領域のパターンに含まれる、項目１から８のいずれか１項に記載の締結テープ又は機械的ファスナー。
［項目１０］
前記低い多孔率の少なくとも１つのシースルー領域が、数字、記号、絵、幾何学的形状、バーコード又はアルファベット文字の形態である、項目１から９のいずれか１項に記載の締結テープ又は機械的ファスナー。
［項目１１］
前記微多孔性フィルムが第１の層及び第２の層を含む多層構造の第１の層であり、前記第２の層の一部が前記低い多孔率の少なくとも１つのシースルー領域を介して視認可能である、項目１から１０のいずれか１項に記載の締結テープ又は機械的ファスナー。
［項目１２］
前記微多孔性フィルムがβ造核剤を含む、項目１から１１のいずれか１項に記載の締結テープ又は機械的ファスナー。
［項目１３］
項目５から８のいずれか１項に記載の機械的ファスナーを製造する方法において、
前記微多孔性フィルムの少なくとも一方の表面に機械的締結要素を含む機械的ファスナーを提供することと、
前記微多孔性フィルムの不透明な微多孔性領域内の低い多孔率の少なくとも１つのシースルー領域を形成するように微多孔性フィルムにおける一部の孔を崩壊させることとを備える、方法。
［項目１４］
前記微多孔性フィルムの一部の孔を崩壊させることが、前記低い多孔率の少なくとも１つのシースルー領域を形成するために孔を崩壊させるように前記微多孔性フィルムを加熱することを備える、項目１３に記載の方法。
［項目１５］
さらに、個人衛生用品に機械的ファスナーを組み込むことを備える、項目１３又は１４に記載の方法。
【手続補正２】
【補正対象書類名】特許請求の範囲
【補正対象項目名】全文
【補正方法】変更
【補正の内容】
【特許請求の範囲】
【請求項１】
締結テープにおいて、
締結部を備えたテープ裏材と、
前記締結部に配置された接着剤と、
前記接着剤用の剥離面とを備え、前記剥離面が、前記テープ裏材のその縁部のうちの１つに沿って取り付けられた剥離テープ又は前記テープ裏材の表面の少なくとも一部に配置された剥離コーティングであり、
前記テープ裏材又は前記剥離面の少なくとも一方が、不透明な微多孔性領域及び前記不透明な微多孔性領域内の低い多孔率の少なくとも１つのシースルー領域を有する微多孔性フィルムを含む、締結テープ。
【請求項２】
前記テープ裏材が、不透明な微多孔性領域及び不透明な微多孔性領域内の低い多孔率の少なくとも１つのシースルー領域を有する微多孔性フィルムを含む、請求項１に記載の締結テープ。
【請求項３】
前記剥離面が、前記不透明な微多孔性領域及び前記不透明な微多孔性領域内の低い多孔率の少なくとも１つのシースルー領域を有する微多孔性フィルムを含む剥離テープである、請求項１に記載の締結テープ。
【請求項４】
機械的ファスナーにおいて、
所定厚さの不透明な微多孔性領域及び前記不透明な微多孔性領域内の低い多孔率の少なくとも１つのシースルー領域を有する微多孔性フィルムであり、前記低い多孔率の少なくとも１つのシースルー領域が前記微多孔性フィルムの厚さを通って延在している微多孔性フィルムと、
前記機械的ファスナーの少なくとも１つの表面上にある機械的締結要素とを備える、機械的ファスナー。
【請求項５】
前記機械的締結要素が前記微多孔性フィルムに付着された底部を有する直立柱を備える雄型締結要素である、又は前記機械的締結要素が前記微多孔性フィルム上に配置された繊維ループである、請求項４に記載の機械的ファスナー。
【請求項６】
前記微多孔性フィルムが前記機械的締結要素を有するストリップが装着された基材である、請求項４又は５に記載の機械的ファスナー。
【請求項７】
前記低い多孔率の少なくとも１つのシースルー領域が前記不透明な微多孔性領域内のシースルーの非多孔領域のパターンに含まれる、又は前記低い多孔率の少なくとも１つのシースルー領域が、数字、記号、絵、幾何学的形状、バーコード、アルファベット文字、若しくはそれらの組み合わせの形態である、請求項１から６のいずれか１項に記載の締結テープ又は機械的ファスナー。
【請求項８】
前記微多孔性フィルムが第１の層及び第２の層を含む多層構造の第１の層であり、前記第２の層の一部が前記低い多孔率の少なくとも１つのシースルー領域を介して視認可能である、請求項１から７のいずれか１項に記載の締結テープ又は機械的ファスナー。
【請求項９】
前記微多孔性フィルムがβ造核剤を含む、請求項１から８のいずれか１項に記載の締結テープ又は機械的ファスナー。
【請求項１０】
請求項４から６のいずれか１項に記載の機械的ファスナーを製造する方法において、
前記微多孔性フィルムの少なくとも一方の表面に機械的締結要素を含む機械的ファスナーを提供することと、
前記微多孔性フィルムの不透明な微多孔性領域内の低い多孔率の少なくとも１つのシースルー領域を形成するように微多孔性フィルムにおける一部の孔を崩壊させることとを備える、方法。